(57)【要約】【課題】１つの操作ボタンで、レリーズスイッチ、拡大ズームスイッチ、縮小ズームスイッチの操作を可能とする入力装置において、小型化を実現する。【解決する手段】揺動可能に配備された操作ボタン３と、該操作ボタン３の揺動中心の下方に配備されたレリーズスイッチ４と、レリーズスイッチ４を挟んで対向配備された拡大ズームスイッチ４１と縮小ズームスイッチ４２からなる。操作ボタン３の揺動操作又は押圧操作によって、３つのスイッチを選択して働かせることができる。操作ボタン３は揺動式又はスライド式であり、撮像装置筺体１内に隠れている部分を小さく設計できるため、入力装置のコンパクトに構成出来、撮像装置の小型化に寄与できる。【選択図】  図３
2004325615.tif 000002
【特許請求の範囲】
【請求項１】
スライド可能且つスライド方向の中立位置にてスライド方向と直交して基板（５）に接近離間可能に配備された操作ボタン（３）と、中立位置の操作ボタン（３）の中央下方にて基板（５）上に配備されたレリーズスイッチ（４）と、操作ボタン（３）のスライド方向の両側に対応して基板（５）上に配備された拡大ズームスイッチ（４１）及び縮小ズームスイッチ（４２）とによって構成され、操作ボタン（３）の中立位置での基板（５）に対する垂直方向の押圧操作によって、レリーズスイッチ（４）を押圧操作でき、操作ボタン（３）のスライド操作によって拡大ズームスイッチ（４１）と縮小ズームスイッチ（４２）を選択的に操作できるズーム操作、レリーズ操作兼用入力装置。
【請求項２】
基板（５）に配備された操作ボタン（３）と、該操作ボタン（３）の揺動中心の近傍位置に対応して基板（５）上に配備されたレリーズスイッチ（４）と、レリーズスイッチ（４）を半径中心とする仮想円上の複数箇所に少なくとも拡大ズームスイッチ（４１）と縮小ズームスイッチ（４２）の２つのズームスイッチを含んで配備された複数のスイッチとによって構成され、操作ボタン（３）の基板（５）に対する垂直方向の押圧操作によってレリーズスイッチ（４）を押圧操作でき、操作ボタン（３）の揺動操作によってレリーズスイッチ（４）以外のスイッチを選択的に操作できるズーム操作、レリーズ操作兼用入力装置。
【請求項３】
仮想円上に等間隔に４つのスイッチ（４１）（４２）（４３）（４４）が配備され、拡大ズームスイッチ（４１）と縮小ズームスイッチ（４２）は仮想円の直径線上に位置している請求項２に記載のズーム操作、レリーズ操作兼用入力装置。
【請求項４】
操作ボタン（３）の中央部には指掛かり用の突起（３０）が突設されている請求項１乃至３の何れかに記載のズーム操作、レリーズ操作兼用入力装置。
【請求項５】
ズーム動作が終了して操作ボタン（３）が中立位置に戻ったことを、検知手段にて検知することによって、自動露出装置のハーフシャッターと認識させる回路構成となっている請求項１乃至４の何れかに記載のズーム操作、レリーズ操作兼用入力装置。
【請求項６】
請求項１乃至５の何れかに記載のズーム操作、レリーズ操作兼用入力装置を具えた電子撮像機器。
【発明の詳細な説明】
【０００１】
【発明の属する分野】
本発明は、デジタルスチルカメラ、銀塩カメラ等の撮像機器において、ズーム操作とレリーズ操作を１つの操作ボタンによって操作可能な入力装置及び該入力装置を用いた撮像機器に関するものである。
【０００２】
【従来の技術】
この種入力装置として、図９に示す如く、円板状のダイヤル（７）を、一部を撮像装置筺体（１）から臨出させて、回転及び押し込み可能に配備したものが提案されている（特許文献１）。
ダイヤル（７）の回転により、拡大又は縮小のズーム操作ができ、ダイヤル（７）の押込み操作によって、レリーズ操作ができる。
【０００３】
【発明が解決しようとする課題】
上記入力装置（２）の場合、ダイヤル（７）は円板状であって、撮像装置筐体（１）からの臨出部分よりも、該筺体（１）内に隠れている部分の方が遙かに大きく、ダイヤル（７）の収容スペースを確保することは、撮像装置の小型化の妨げとなる。
又、円板状のダイヤル（７）は、押圧操作の際に、回転側にも力が加わり勝ちとなり、誤操作を起こし易い。
本発明は上記問題を解決できる、ズーム操作とレリーズ操作を１つの操作ボタンの操作によって可能な入力装置及び該入力装置を用いた撮像機器を明らかにするものである。
【０００４】
【特許文献１】
特開２００２−３３３６０号
【０００５】
【課題を解決する手段】
本発明のスライド／押込み式入力装置は、スライド可能且つスライド方向の中立位置にてスライド方向と直交して基板（５）に接近離間可能に配備された操作ボタン（３）と、中立位置の操作ボタン（３）の中央下方にて基板（５）上に配備されたレリーズスイッチ（４）と、操作ボタン（３）のスライド方向の両端側に対応して基板（５）上に配備された拡大ズームスイッチ（４１）及び縮小ズームスイッチ（４２）とによって構成され、操作ボタン（３）の中立位置での基板（５）に対する垂直方向の押圧操作によって、レリーズスイッチ（４）を押圧操作でき、操作ボタン（３）のスライド操作によって拡大ズームスイッチ（４１）と縮小ズームスイッチ（４２）を選択的に操作できる。
【０００６】
本発明の揺動／押込み式入力装置は、揺動可能に配備された操作ボタン（３）と、該操作ボタン（３）の揺動中心の近傍位置に対応して基板（５）上に配備されたレリーズスイッチ（４）と、レリーズスイッチ（４）を半径中心とする仮想円上の複数箇所に少なくとも拡大ズームスイッチ（４１）と縮小ズームスイッチ（４２）の２つのズームスイッチを含んで配備された複数のスイッチとによって構成され、操作ボタン（３）の基板（５）に対する垂直方向の押圧操作によってレリーズスイッチ（４）を押圧操作でき、操作ボタン（３）の揺動操作によってレリーズスイッチ（４）以外のスイッチを選択的に操作できる
【０００７】
【作用及び効果】
１つの操作ボタン（３）の操作によって、少なくともレリーズスイッチ（４）、拡大ズームスイッチ（４１）、縮小ズームスイッチ（４２）を選択的に操作できる。
操作ボタン（３）は、スライド又は揺動式であり、従来のダイヤネル（７）の様に円板状ではなく、撮像装置筺体（１）内に隠れている部分を小さく設計できるため、撮像装置の小型化に寄与できる。
又、操作ボタン（３）に指掛かり用の突起（３０）を設けることにより、スライド又は揺動操作と、押込み操作を区別して操作し易くなる。
【０００８】
【発明の実施の形態】
図１は、デジタルスチルカメラの一例を示し、筺体（１）の前面にレンズ（１１）、後面にはレンズで捉えた画像の表示部（図示せず）を有している。
筺体（１）の上壁（１０）に、ズーム操作とレリーズ操作の可能な入力装置（２）（以下、単に「入力装置」）が配備されている。
デジタルカメラには、上記以外にも、フラッシュ、モード切替スイッチ、電源ボタン、ファインダー（何れも図示せず）等が、適所に配備されている。
【０００９】
第１実施例の入力装置（図２）
入力装置（２）は、図２に示す如く、筺体（１）の上壁（１０）を貫通してスライド及び上下動可能に配備された操作ボタン（３）と、該操作操作ボタン（３）のスライド方向に並んで配備した３つのスイッチ（４）（４１）（４２）とによって構成される。
【００１０】
操作ボタン（３）は、該ボタンのスライド方向に長い矩形板状の操作部（３１）の下面中央に軸状のレリーズ押圧部（３２）を下向きに突設し、該押圧部（３２）の下部側から、ボタンのスライド方向両側に軸状のズーム押圧部（３３）（３４）を突設している。
両ズーム押圧部（３３）（３４）は、レリーズ押圧部（３２）から直交して延び途中で下向きに屈曲してＬ字状を呈している。
レリーズ押圧部（３２）の上部は、筺体（１）上面に開設した溝孔（１２）にスライド可能に嵌まっている。
操作ボタン（３）の操作部（３１）は筺体（１）の外部に臨出し、上記溝孔（１２）の両端近傍位置にて筺体（１）上に配備された円弧状板バネ（３５）（３５）に操作部下面が当たって支持されている。
【００１１】
筺体（１）内には、筺体（１）の上壁（１０）に接近し該上壁（１０）と平行に基板（５）が設けられ、該基板（５）上に、前記３つのスイッチ（４）（４１）（４２）が配備されている。
中央のスイッチ（４）はレリーズスイッチであって、スライド方向に対して中立位置の操作ボタン（３）のレリーズ押圧部（３２）の真下位置に、該押圧部に接近して位置している。
残りの２つのスイッチ（３３）（３４）は、拡大ズームスイッチ（４１）と縮小ズームスイッチ（４２）であって、レリーズスイッチ（４）から等距離離れて対向し、且つ夫々操作ボタン（３）のズーム押圧部（３３）（３４）の外側に位置している。
両ズームスイッチ（４１）（４２）は、夫々内蔵されたバネ（図示せず）によってスイッチ片（４１ａ）（４２ａ）を対向して突出させており、スイッチ片（４１ａ）（４２ａ）の先端はズーム押圧部（３３）（３４）に軽く接触している。
スイッチ片（４１ａ）（４２ａ）を押し込むほど拡大率又は縮小率が大きくなる。
【００１２】
基板（５）には、ズーム押圧部（３３）（３４）を嵌めてスライド方向に案内するガイド孔（５ａ）（５ａ）が開設されている。
【００１３】
然して、中立位置の操作ボタン（３）を、拡大ズームスイッチ（４１）側にスライドさせると、ズーム押圧部（３３）が拡大ズームスイッチ（４１）のスイッチ片（４１ａ）を押圧して、表示部（図示せず）に拡大した画像が表示される。所望の拡大率に達すれば操作ボタン（３）から手指を離す。拡大ズームスイッチ（４１）に内蔵されたバネによって、操作ボタン（３）は自動的に中立位置に戻る。操作ボタン（３）が中立位置に戻っても設定された拡大率は変わらない。
【００１４】
拡大率が大き過ぎた場合、操作ボタン（３）を縮小ズームスイッチ（４２）側にスライドさせる。ズーム押圧部（３４）で縮小ズームスイッチ（４２）のスイッチ片（４２ａ）を押し込んで、縮小を利かせることができる。
【００１５】
操作ボタン（３）が中立位置に戻った状態で、操作ボタン（３）を板バネ（３５）（３５）に抗してレリーズスイッチ（４）側に押し込む。
レリーズ押圧部（３２）がレリーズスイッチ（４）のスイッチ片（４ａ）を押圧して該スイッチが働く。
操作ボタン（３）の押圧を解除すれば、板バネ（３５）（３５）の付勢力によって、操作ボタン（３）は元位置に復帰する。
【００１６】
上記の如く、１つの操作ボタン（３）によって、レリーズスイッチ（４）、拡大ズームスイッチ（４１）、縮小ズームスイッチ（４２）の操作ができる。
操作ボタン（３）はスライド式であり、又、従来のダイヤルの様に円板状ではなく、撮像装置筺体（１）内に隠れている部分を小さく設計できるため、撮像装置の小型化に寄与できる。
操作ボタン（３）をスライド操作中（ズーム操作中）に下向きに押圧しても、押圧部（３２）がレリーズスイッチ（４）のスイッチ片（４ａ）から外れているため、レリーズスイッチ（４）が働くことはない。
【００１７】
尚、ズーム動作が終了して操作ボタン（３）が中立位置に戻ったことを、検知手段（図示せず）にて検知することによって、自動露出装置のハーフシャッターと認識させる回路構成にすれば、ハーフシャッターの動作が不要となり、撮影動作を迅速に行なうことができる。
【００１８】
第２実施例の入力装置（図３）
図３ａに示す如く、操作ボタン（３）は、基板（５）に設けた支持ブロック（５１）上に、基板（５）に対して垂直な面内にて支点（５１ａ）を中心に揺動可能且つ上下動可能に配備されている。操作ボタン（３）の操作部（３１）の中央には上向きに突起（３０）が突設され、該突起（３０）を含む操作ボタン（３）の上部は、筺体（１）の溝孔（１２）から外側に臨出している。
【００１９】
支持ブロック（５１）上に、前記同様にして、中央にレリーズスイッチ（４）、左右に拡大ズームスイッチ（４１）と縮小ズームスイッチ（４２）が、レリーズスイッチ（４）から等距離離して対向配備される。
操作ボタン（３）の下面には、該３つのスイッチ（４）（４１）（４２）との対応位置にレリーズ押圧部（３２）、ズーム押圧部（３３）（３４）が下向きに突設される。
【００２０】
図３ｂに示す如く、操作ボタン（３）を拡大ズームスイッチ（４１）側に傾けると、押圧部（３３）が拡大ズームスイッチ（４１）を動作させて、拡大ズームを利かすことができる。
図３ｃに示す如く、操作ボタン（３）を縮小ズームスイッチ（４２）側に押圧すると縮小ズームスイッチ（４２）を動作させて縮小ズームを利かせることができる。
各ズームスイッチ（４１）（４２）に内蔵したバネ（図示せず）又は適所に配備したバネ（図示せず）によって、操作ボタン（３）は中立位置に自動復帰する。
中立位置の操作ボタン（３）をレリーズスイッチ（４）側に押圧すると、レリーズ押圧部（３２）が該スイッチ（４）を動作させることができる。
【００２１】
図４は、図３の操作ボタン（３）を、拡大ズームスイッチ（４１）又は縮小ズームスイッチ（４２）側に傾けつつレリーズスイッチ（４）側に押圧した場合において、何れか一方のスイッチだけを働かせる、同時押し回避のフローチャートである。
ステップ１（Ｓ１）において、ボタン操作の有無を判断する。
ステップ２（Ｓ２）において、ボタン操作有りから所定時間以内、実施例では０．３秒以内にレリーズスイッチ（４）が押圧されたか否かを判断し、ＹＥＳであれば、ステップ３へ移り、レリーズ動作を開始する。
ステップ２（Ｓ２）において、ＮＯであれば、拡大ズームスイッチ（４１）又は縮小ズームスイッチ（４２）の何れか一方のみが押されていると判断し、ステップ４（Ｓ４）へ移り、選択されたズーム動作を行う。
尚、スイッチの同時押し回避は、上記電気回路によらず、特開２０００−３４００５３号等、機械的に回避する手段も公知であり、本実施例でも採用できるのは勿論である。
【００２２】
上記第２実施例の入力装置（２）は、第１実施例と同様にして、１つの操作ボタン（３）によって、レリーズスイッチ（４）、拡大ズームスイッチ（４１）、縮小ズームスイッチ（４２）の操作ができる。
操作ボタン（３）は揺動式であり、又、従来のダイヤルの様に円板状ではなく、撮像装置筺体（１）内に隠れている部分を小さく設計できるため、撮像装置の小型化に寄与できる。
操作ボタン（３）は、操作部（３１）に突起（３０）を設けているため、操作性が向上し、同時押し防止効果にを有する。
【００２３】
第３実施例の入力装置（図５）
上記第２実施例の変形である。
基板（５）上の支持ブロック（５１）は円弧状に形成されている。
レリーズスイッチ（４）は支持ブロック（５１）内に配備され、２つのズームスイッチ（４１）（４２）は、支持ブロック（５１）の両側にてレリーズスイッチ（４）から等距離離して配備されている。
操作ボタン（３）も支持ブロック（５１）の円弧に沿う円弧状に形成され、ボタン中央に上向きに突起（３０）を有している。
操作ボタン（３）の両端が、ズーム押圧部（３３）（３４）となっている。
操作ボタン（３）の中央に下向きにレリーズ押圧部（３２）を突設している。
【００２４】
操作ボタン（３）の操作方法、作用及び効果は第２実施例と同じである。
【００２５】
第４実施例の入力装置（図６乃至図７）
図６に示す如く、カメラ筺体（１）の上壁（１０）に開設した略正方形の収容孔（１３）に入力装置（２）が組み込まれている。
入力装置（２）は、１つの操作ボタン（３）の４方向の傾き切替と、下向き押圧の操作によって５つのスイッチを選択的に動作させることができる。
【００２６】
図７、図８に示す如く、入力装置（２）は、蓋板（６３）と底板（５３）を有する正方形の扁平ケース（６）に納まっている。
蓋板（６３）の中央部に、後記する操作ボタン（３）の突起（３０）が余裕のある状態で臨出する孔（６４）が開設され、四隅に下向きの脚片（６５）が突設されている。
底板（５３）の四隅に孔（５６）が開設され、各孔に蓋板（６３）の脚片（６５）が強固に嵌まっている。
【００２７】
底板（５３）にフレキシブル配線シート（５２）が被さり、底板（５３）とフレキシブル配線シート（５２）とによって基板（５）形成している。
フレキシブル配線シート（５２）は、ケース（６）外側に延びている。
【００２８】
フレキシブル配線シート（５２）に、ケース（６）の四隅に対応して補強片（５４）を固定している。
フレキシブル配線シート（５２）には、隣合う補強片（５４）（５４）の間及びシートの中央に５つのスイッチ（４）（４１）（４２）（４３）（４４）が固定配備される。
中央のスイッチ（４）がレリーズスイッチ（４）、該レリーズスイッチ（４）を挟んで拡大ズームスイッチ（４１）と縮小ズームスイッチ（４２）が対向配備され、残りのスイッチはマニュアルフォーカススイッチ（４３）（４４）である。
２つのズームスイッチ（４１）（４２）及び２つのマニュアルフォーカススイッチ（４３）（４４）は、レリーズスイッチ（４）を半径中心とする仮想円上に９０°の間隔を存して位置している。
【００２９】
フレキシブル配線シート（５２）に、スイッチ（４）（４１）（４２）（４３）（４４）を覆う様に、中間シート（５７）が被せられる。
中間シート（５７）は、薄くて軟質である。
中間シート（５７）の四隅及び前記フレキシブル配線シート（５２）上の４つの補強片（５４）には孔（５８）（５５）が開設され、該孔に前記蓋板（６３）の脚片（６５）が貫通している。
ケース（６）の底側に略Ｓ字状の可撓性ステー（６１）が設けられ、ケース（６）の中央位置に対応して該ステー（６１）上に上向きに球面案内部（６２）が突設される。
ステー（６１）下面の前記球面案内部（６２）の反対位置に、前記レリーズスイッチ（４）を押圧可能な突部（５９）が突設される。
【００３０】
上記球面案内部（６２）上に操作ボタン（３）が配備される。
操作ボタン（３）は、半球状の殻体（３８）に十字状４方向に突片状押圧部（３３）（３４）（３６）（３７）を突設し、殻体（３８）の内面中央部に下向きに短筒状レリーズ押圧部（３２）を突設している。
各突片状押圧部（３３）（３４）（３５）（３６）には、前記４方向のスイッチ（４１）（４２）（４３）（４４）を押圧可能な突部が突設されている。
操作ボタン（３）の短筒状押圧部（３２）を前記ステー（６１）の球面案内部（６２）に載せた状態で、ステー（６１）上の突部（５９）及び操作作ボタン（３）上の各押圧部（３３）（３４）（３６）（３７）の突部は、中間シート（５７）を介して各スイッチ（４）（４１）（４２）（４３）（４４）上に載って中立位置を保つ。
操作ボタン（３）のドーム状殻体（３８）は、蓋板（６３）の孔縁に摺接可能に当たっており、ボタンの突起（３０）は、孔（６４）の外側に突出している。
【００３１】
然して、操作ボタン（３）の突起（３０）を拡大ズームスイッチ（４１）側に押すと、押圧部（３２）が球面案内部（６２）を滑って、操作ボタン（３）は拡大ズームスイッチ（４１）側に傾き、押圧部（３３）が拡大ズームスイッチ（４１）を押圧して拡大ズームを利かせる。同様に操作ボタン（３）の傾き方向に対応して、拡大ズームスイッチ（４１）、マニュアルフォーカススイッチ（４２）（４３）を選択的に働かせることができる。
操作ボタン（３）をレリーズスイッチ（４）側に押圧すると、ステー（６１）の突部（５９）によってレリーズスイッチ（４）が押され、レリーズスイッチ（４）が働く。
操作ボタン（３）をレリーズスイッチ（４）側に押すと、押圧部（３３）（３４）（３６）（３７）によって残りのスイッチ（４１）（４２）（４３）（４４）も押されるが、レリーズスイッチ（４）を優先する回路構成とすれば、同時押しを回避できる。
【００３２】
第４実施例において、マニュアルフォーカススイッチ（４３）（４４）に代えて、露出補正スイッチ等、他の機能有するスイッチとすることができる。
【００３３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３４】
例えば撮像機器は、電子撮像機器に限らず、銀塩カメラでも実施できるのは勿論である。
【図面の簡単な説明】
【図１】カメラの斜面図である。
【図２】第１実施例の入力装置の断面図である。
【図３】第２実施例の入力装置において、ａ図は操作ボタンの中立位置、ｂ図は拡大ズームスイッチを押す状態、ｃ図は縮小ズームスイッチを押す状態、ｄ図はレリーズスイッチを押す状態を示す説明図である。
【図４】複数スイッチの同時押し回避フローチャートである。
【図５】第３実施例の入力装置において、ａ図は操作ボタンの中立位置、ｂ図は拡大ズームスイッチを押す状態、ｃ図は縮小ズームスイッチを押す状態、ｄ図はレリーズスイッチを押す状態を示す説明図である。
【図６】第４実施例の入力装置を具えたカメラの斜面図である。
【図７】第４実施例の入力装置の断面図である。
【図８】第４実施例の入力装置の分解斜面図である。
【図９】従来の入力装置を具えたカメラの斜面図である。
【符号の説明】
（１）    筺体
（２）    入力装置
（３）    操作ボタン
（３２）  レリーズ押圧部
（３３）  ズーム押圧部
（３４）  ズーム押圧部
（４）    レリーズスイッチ
（４１）  拡大ズームスイッチ
（４２）  縮小ズームスイッチ
（５）    基板
【図１】
2004325615.tif 000003
【図２】
2004325615.tif 000004
【図３】
2004325615.tif 000005
【図４】
2004325615.tif 000006
【図５】
2004325615.tif 000007
【図６】
2004325615.tif 000008
【図７】
2004325615.tif 000009
【図８】
2004325615.tif 000010
【図９】
2004325615.tif 000011